(57)【要約】【課題】端子ねじのマーキング作業やその確認を容易にし、端子カバーを装着したままで端子ねじに対する操作を可能にしたＳＰＤ用端子台を提供する。【解決手段】プラグ５０が装着されるベース１１に固定されてプラグ５０の端子に接続された接続端子２３と、ケーブル２１に接続された圧着端子２２とを、コイルばね１３の復元力に抗して締め付けられる端子ねじ１５により相互に接続可能なＳＰＤ用端子台において、ベース１１の端子接続部１６に形成された凹部１８に着脱され、かつ、凹部１８に装着した状態でドライバーの先端部を挿入するための通孔１７を端子接続部１６側の切欠１６ａ，１６ｂと相まって形成可能な切欠３３ａ，３３ｂを有する透明な端子カバー３０を備え、端子カバー３０を凹部１８から取り外した状態で、端子ねじ１５の頭頂部から圧着端子２２に至る部位をマーキング可能とする。【選択図】図１
2020149915.tif 000002
【特許請求の範囲】
【請求項１】
ＳＰＤ本体としてのプラグがベースに装着されるＳＰＤ用端子台であって、
前記ベースに固定されて前記プラグの端子に接続された接続端子と、外部のケーブルに接続された圧着端子とを、ばねの復元力に抗して端子ねじを締め付けることにより相互に接続可能なＳＰＤ用端子台において、
前記ベースの端子接続部に形成された凹部に着脱され、かつ、前記凹部に装着した状態で前記端子ねじを操作するドライバーの先端部が挿入される通孔を形成可能な切欠を有する端子カバーを備え、
前記端子カバーを前記凹部から取り外した状態で、前記端子ねじの頭頂部から前記圧着端子に至る部位をマーキングする空間が確保されることを特徴とするＳＰＤ用端子台。
【請求項２】
請求項１に記載したＳＰＤ用端子台において、
前記端子カバーを透明な部材により形成したことを特徴とするＳＰＤ用端子台。
【発明の詳細な説明】
【技術分野】
【０００１】
本発明は、端子ねじに対するマーキング作業を容易にしたＳＰＤ用端子台に関するものである。
【背景技術】
【０００２】
図４は、ＳＰＤ用端子台の従来技術を示す主要部の側面図である。
図４（ａ），（ｂ）において、１１は端子台のベース、１２はベース１１に形成されたばね支持穴、１３は下端部がばね支持穴１２に収容されて側面Ｌ字形のねじ支持部１４を支持しているコイルばね、１５はねじ支持部１４によって支持されている端子ねじ、１６ｃは端子カバー、１７は端子カバー１６ｃの端部に形成された通孔である。
また、２１は配電線路に接続されたケーブル、２２はケーブル２１の先端部に取り付けられた圧着端子、２３はベース１１の内部においてＳＰＤ本体としてのプラグ（図示せず）の端子に接続された接続端子、２４は圧着端子２２の挿入孔である。
【０００３】
このＳＰＤ用端子台は、ベース１１に装着されるプラグの端子とケーブル２１とを接続端子２３及び圧着端子２２を介して接続するためのものであり、コイルばね１３の復元力により端子ねじ１５を上方に移動させた状態で圧着端子２２を取り外すことができるため、ねじアップ式端子台とも呼ばれている。
【０００４】
すなわち、図４（ａ）に示すように、コイルばね１３の復元力によりねじ支持部１４を介して端子ねじ１５を上方に移動させ、挿入孔２４から圧着端子２２を挿入した状態で通孔１７からドライバーによって端子ねじ１５を締め込むことにより、図４（ｂ）に示す如く圧着端子２２と接続端子２３とが締結され、プラグの端子とケーブル２１とが電気的に接続される。また、端子ねじ１５を緩めれば図４（ａ）の状態に戻り、圧着端子２２を取り外すことが可能になっている。
この従来技術では、端子カバー１６ｃを取り外すことなくケーブル２１の配線・接続作業を行うことができる。
【０００５】
さて、この種の端子台では、端子ねじ１５を所定のトルクによって締め付けたことを示すために、端子ねじ１５の頭頂部から圧着端子２２までの部位をマーキングすることが求められる場合がある。しかし、図４（ｂ）から明らかなように、端子ねじ１５を締め込んだ状態では、その頭頂部から圧着端子２２までの部位を外部からマーキングすることができない。
【０００６】
ここで、図５は、他の従来技術として、特許文献１に記載されているＳＰＤ装置の斜視図である。
図５において、１０１はベース、１５１はベース１０１に装着されるプラグ、１０２はねじアップ式の端子ねじが収容される端子穴、１０３は圧着端子が挿入される挿入孔、１０４は二次側ケーブルが接続される端子部、１０５は警報出力端子、１１２は一次側ケーブルを接続するための端子ねじが収容される端子穴である。
この従来技術においても、図４と同様に端子ねじの頭頂部から圧着端子にかけてマーキングすることが不可能である。
【０００７】
一方、端子カバーを着脱可能にしたＳＰＤ用端子台として、図６や図７に示す従来技術が知られている。
図６は、特許文献２に記載されているＳＰＤ装置の主要部の一部切欠側面図であり、１０６はベース、１０７は接続ばね、１０８は端子ねじ、１２０は着脱可能な端子カバー、１５２はプラグ、１５３はプラグ１５２の接続端子である。この従来技術では、端子ねじ１０８、接続ばね１０７及び接続端子１５３を介して、外部の一次側または二次側ケーブルとプラグ１５２とが電気的に接続されるようになっている。
【０００８】
更に、図７は、特許文献３に記載されている回路遮断器付きＳＰＤ装置の斜視図であり、１６０はベース、１６１は回路遮断器、１６２は操作レバー、１６３はＳＰＤベース、１６４はプラグ、１６５，１６８は端子カバー、１６６は接地バー、１６７は端子ねじである。この従来技術では、プラグ１６４が故障した際に回路遮断器１６１を遮断することにより、故障プラグを切り離してその交換を可能にしている。
また、端子カバー１６８は透明部材によって形成されており、この端子カバー１６８を介して、端子ねじ１６７のマーキングの有無を外部から確認することが可能である。
【先行技術文献】
【特許文献】
【０００９】
【特許文献１】特許第６３０７３８１号公報（図１）
【特許文献２】特許第４４５５１６２号公報（図８）
【特許文献３】特開２０１２−１５０９６２号公報（図１（ｂ））
【発明の概要】
【発明が解決しようとする課題】
【００１０】
図６に示した従来技術によれば、端子カバー１２０を基台１０６から取り外すことにより端子ねじ１０８が露出するので、端子ねじ１０８に対するマーキングを行うことが可能であるが、端子カバー１２０を基台１０６に装着した状態では端子ねじ１０８が隠れてしまい、マーキングの有無を外部から確認することができない。
また、図６，図７の何れにおいても、端子カバー１２０，１６８を装着したままの状態で端子ねじ１０８，１６７に対する操作を行う（端子ねじを締める、あるいは緩める）ことができず、圧着端子を着脱するためには端子カバー１２０，１６８をその都度、取り外す必要があるため、作業性が悪いという問題がある。
【００１１】
そこで、本発明の解決課題は、端子ねじに対するマーキング作業やマーキングの有無の確認を容易に行うことができ、しかも端子カバーを装着したままの状態で端子ねじの締結やその解除を行えるようにしたＳＰＤ用端子台を提供することにある。
【課題を解決するための手段】
【００１２】
上記課題を解決するため、請求項１に係る発明は、ＳＰＤ本体としてのプラグがベースに装着されるＳＰＤ用端子台であって、
前記ベースに固定されて前記プラグの端子に接続された接続端子と、外部のケーブルに接続された圧着端子とを、ばねの復元力に抗して端子ねじを締め付けることにより相互に接続可能なＳＰＤ用端子台において、
前記ベースの端子接続部に形成された凹部に着脱され、かつ、前記凹部に装着した状態で前記端子ねじを操作するドライバーの先端部が挿入される通孔を形成可能な切欠を有する端子カバーを備え、
前記端子カバーを前記凹部から取り外した状態で、前記端子ねじの頭頂部から前記圧着端子に至る部位をマーキングする空間が確保されることを特徴とする。
【００１３】
また、請求項２に記載した発明は、請求項１に記載したＳＰＤ用端子台において、前記端子カバーを透明な部材により形成したことを特徴とする。
【発明の効果】
【００１４】
本発明によれば、端子カバーをベースに装着したままで端子ねじの締め付け（締め付けトルクの調整）や解除、ひいては圧着端子の着脱が可能であり、端子カバーを取り外すことで端子ねじの頭頂部から圧着端子に至る部位に簡単にマーキングすることができる。
また、端子カバーを透明な部材により形成すれば、端子カバーの装着後も、端子カバーを介してマーキングの有無を外部から確認することができる。
【図面の簡単な説明】
【００１５】
【図１】本発明の実施形態に係るねじアップ式端子台の主要部の斜視図である。
【図２】本発明の実施形態における圧着端子の接続手順を示す側面図である。
【図３】本発明の実施形態におけるマーキング手順を示す側面図である。
【図４】ＳＰＤ用端子台の従来技術を示す主要部の側面図である。
【図５】特許文献１に記載されたＳＰＤ装置の斜視図である。
【図６】特許文献２に記載されたＳＰＤ装置の主要部の一部切欠側面図である。
【図７】特許文献３に記載された回路遮断器付きＳＰＤ装置の斜視図である。
【発明を実施するための形態】
【００１６】
以下、図に沿って本発明の実施形態を説明する。
図１（ａ），（ｂ）は、本発明の実施形態をねじアップ式端子台に適用した場合の主要部の斜視図である。これらの図において、１１はプラグ（ＳＰＤ本体）５０が装着されるベースであり、１６は後述する圧着端子２２が接続される端子接続部である。ここで、プラグ５０としては分離器内蔵型や直撃雷に対応可能ないわゆるクラスＩのプラグ等を想定しているが、プラグ５０の種類は特に限定されるものではない。
【００１７】
図１（ｂ）に示す端子接続部１６の凹部１８には、透明のプラスチック等からなる端子カバー３０が着脱可能に取り付けられている。この端子カバー３０は、側板３１と天板３３とにより側面から見てほぼＬ字形に形成され、天板３３には半円形の切欠３３ａ，３３ｂが形成されていると共に、前記端子接続部１６の上端部に形成された係止突起１９に係止可能な係止孔部３２を備えている。
端子カバー３０を端子接続部１６に装着した状態では、端子接続部１６側の切欠１６ａ，１６ｂと天板３３側の切欠３３ａ，３３ｂとにより、端子ねじを締め込むためのドライバー（何れも図示せず）の先端部を挿入可能な通孔１７が形成される。
【００１８】
図２は、この実施形態における圧着端子の接続手順を示す側面図である。
図２（ａ）に示すように、凹部１８の底面には接続端子２３が固定されており、この接続端子２３は、ベース１１の内部において、図１に示したプラグ５０の端子と電気的に接続されている。
また、２２はケーブル２１の先端に接続された圧着端子であり、端子ねじ１５を用いて圧着端子２２を上記接続端子２３と締結することで、プラグ５０の端子とケーブル２１とが電気的に接続されるものである。
【００１９】
端子ねじ１５の支持構造は図４と同様であり、ベース１１のばね支持穴１２に下端部が収容されたコイルばね１３によってねじ支持部１４及び端子ねじ１５が支持され、端子ねじ１５には、コイルばね１３の復元力がねじ支持部１４を介して作用している。
【００２０】
図２（ａ）は、圧着端子２２を接続する前の状態であり、端子カバー３０を凹部１８に取り付けたままの状態で通孔１７からドライバーの先端部を挿入して端子ねじ１５を緩めれば、コイルばね１３の復元力により端子ねじ１５が上方に移動する。なお、端子カバー３０は、前述したように係止突起１９を端子接続部１６側の係止孔部３２に係止させることで凹部１８に取り付けられている。
端子ねじ１５を上方に移動させた状態で端子カバー３０の側板３１の下方の隙間３１ａから圧着端子２２を挿入し、通孔１７から挿入されたドライバーを用いて端子ねじ１５を締め込むことにより、図２（ｂ）に示すように、圧着端子２２を接続端子２３に締結してプラグの端子とケーブル２１とを電気的に接続することができる。
【００２１】
次に、図３は、端子ねじ１５の頭頂部から圧着端子２２までの部位をマーキングする作業の手順を示している。
図３（ａ）に示すように、端子カバー３０を端子接続部１６の凹部１８から除去すれば、端子ねじ１５及び圧着端子２２の上方空間が開放される。この状態で端子ねじ１５を所定のトルクで締め付けたことを確認したら、図３（ｂ）に示す如く、マーカー４０を用いて端子ねじ１５の頭頂部から圧着端子２２に至る部位にマーキングを行う。
マーキングが終わったら、図３（ｃ）に示すように端子カバー３０を再び凹部１８に装着することにより、透明な端子カバー３０を介して外部からマーキングを確認することができる。また、端子カバー３０を装着した状態では、端子ねじ１５の頭頂部が端子カバーにより覆われているため、誤って端子ねじ１５に触れることにより感電するおそれもない。
【００２２】
以上説明したように、本実施形態によれば、端子カバー３０を端子接続部１６の凹部１８に装着したままで端子ねじ１５の締め付け（締め付けトルクの調整）や除去、ひいては圧着端子２２の接続や取り外しが可能である。また、端子カバー３０を取り外せば端子ねじ１５の頭頂部から圧着端子２２に至る部位に簡単にマーキングすることができ、端子カバー３０を再び装着した状態では、透明な端子カバー３０を介してマーキングの有無を外部から確認することができる。
このため、前述した各種の従来技術に比べて、圧着端子２２の接続作業やマーキング作業、及びマーキングの有無の確認を容易に行うことができる。
【００２３】
なお、上述した端子カバー３０の形状、構造や、端子カバー３０に適合する端子接続部１６及び凹部１８の形状、構造は、あくまで実施形態として例示したものであり、これらは本発明に係るＳＰＤ用端子台の技術的範囲を何ら限定するものではない。
【符号の説明】
【００２４】
１１：ベース
１２：ばね支持穴
１３：コイルばね
１４：ねじ支持部
１５：端子ねじ
１６：端子接続部
１６ａ，１６ｂ：切欠
１７：通孔
１８：凹部
１９：係止突起
２１：ケーブル
２２：圧着端子
２３：接続端子
３０：端子カバー
３１：側板
３１ａ：隙間
３２：係止孔部 
３３：天板
３３ａ，３３ｂ：切欠
４０：マーカー
５０：プラグ（ＳＰＤ本体）
【図１】
2020149915.tif 000003
【図２】
2020149915.tif 000004
【図３】
2020149915.tif 000005
【図４】
2020149915.tif 000006
【図５】
2020149915.tif 000007
【図６】
2020149915.tif 000008
【図７】
2020149915.tif 000009